(57)【要約】【課題】遊技盤が揺動しているような演出を積極的に行うことができる遊技機を提供すること。【解決手段】所定の遊技領域３１Ａを有する遊技盤３１と、遊技領域３１Ａを覆う第一透光性基板３２１とを備えた遊技機１であって、可撓性を有し、かつ、第一透光性基板３２１に沿って遊技領域３１Ａの少なくとも一部を覆うように配置される第二透光性基板５１と、弾性を有し、第一透光性基板３２１及び第二透光性基板５１の間を封止する封止部材５２と、第二透光性基板５１を変位させる変位発生手段とが設けられ、第一透光性基板３２１と、第二透光性基板５１との間に形成された空間Ｓ内には、透光性を有する媒体Ｌが封入されている。これによれば、第二透光性基板が変位した場合に、当該第二透光性基板５１、媒体Ｌ及び第一透光性基板３２１が、シリンドリカルレンズのように、遊技領域３１Ａからの光を屈折させることができる。【選択図】図２
2008161215.tif 000002
【特許請求の範囲】
【請求項１】
所定の遊技領域を有する遊技盤と、前記遊技領域を覆う第一透光性基板とを備えた遊技機であって、
可撓性を有し、かつ、前記第一透光性基板に沿って前記遊技領域の少なくとも一部を覆うように配置される第二透光性基板と、
弾性を有し、前記第一透光性基板及び前記第二透光性基板の間を封止する封止部材と、
前記第二透光性基板を変位させる変位発生手段とが設けられ、
前記第一透光性基板と、前記第二透光性基板との間に形成された空間内には、透光性を有する媒体が封入されていることを特徴とする遊技機。
【請求項２】
請求項１に記載の遊技機において、
前記変位発生手段は、前記第二透光性基板の法線方向に対して略直交する方向の両端のうち、少なくとも一方を押圧するように設けられていることを特徴とする遊技機。
【請求項３】
請求項２に記載の遊技機において、
前記第二透光性基板は、略矩形状に形成され、
前記変位発生手段は、
前記第二透光性基板の外周を形成する各辺のそれぞれに設けられていることを特徴とする遊技機。
【請求項４】
請求項３に記載の遊技機において、
前記各辺のうちの少なくともいずれかの辺には、前記変位発生手段が所定の間隔を隔てて複数設けられていることを特徴とする遊技機。
【請求項５】
請求項１から請求項４に記載の遊技機において、
前記第一透光性基板と前記第二透光性基板との間に形成される空間内に連通し、当該空間内に前記媒体を充填させる貯蔵手段が設けられていることを特徴とする遊技機。
【請求項６】
請求項１から請求項５のいずれかに記載の遊技機において、
前記第二透光性基板は、前記第一透光性基板と前記遊技盤との間に配置されていることを特徴とする遊技機。
【請求項７】
請求項６に記載の遊技機において、
前記第二透光性基板と、前記遊技盤との間には、前記第一透光性基板と略平行に配置される第三透光性基板が設けられていることを特徴とする遊技機。
【発明の詳細な説明】
【技術分野】
【０００１】
本発明は、所定の遊技領域を有する遊技盤と、前記遊技領域を覆う透光性基板とを備えたパチンコ機及びパチスロ機等の遊技機に関する。
【背景技術】
【０００２】
従来、遊技機としてパチンコ機およびパチスロ機等が知られており、これらパチンコ機およびパチスロ機として、液晶パネル等の可変表示装置が設けられた機種が普及してきた。このような遊技機では、当該可変表示装置をＣＰＵ等により駆動制御して、絵柄および数字がスクロールするような抽選画像や大当たり画像等の画像形成処理が行われ、形成された画像が可変表示装置に表示されるように構成されており、遊技性が高められている。
【０００３】
しかしながら、このような可変表示装置が設けられた遊技機では、抽選画像やリーチ画像等を多彩にしても、演出が単調となりやすく、遊技者に飽きられやすいという傾向があった。
このような問題に対して、内部に液体を封入し、当該液体が遊技の進行に伴う振動や温度変化により流動することで、視覚的効果を発揮させるように構成した遊技機が知られている（例えば、特許文献１参照）。
【０００４】
この特許文献１に記載の遊技機では、遊技盤を、それぞれ透明な基板材料で形成された部品板層、中空板層及び装飾板層の３層構造とし、中央の中空板層の内部には、比重が異なる２種の油等の液体が封入されている。このような遊技機による遊技中には、遊技球が遊技面上を移動することによる遊技盤への振動の増加や、液体の上層及び下層間等での微妙な温度差によって液体の対流が生じる。このため、遊技盤の背面側に配置されるバックライトにより照らされた装飾板層が、液体を介して観察されることでランダムに輝く等の視覚的効果を変化させることができる。
【０００５】
【特許文献１】特開２００５−１９２７５６号公報
【発明の開示】
【発明が解決しようとする課題】
【０００６】
しかしながら、特許文献１に記載の遊技機では、構成が複雑になる一方で、中空板層内の液体の対流が生じにくいため、変化が乏しいという問題がある。すなわち、液体の対流変化が積極的には生じないため、当該液体を介して観察される装飾板層の輝き等の変化が生じにくく、演出効果が低いという問題がある。ここで、電熱ヒータ等により液体を強制的に対流させる構成が考えられるが、構成の複雑化が進むという問題が生じる。
【０００７】
本発明の目的は、遊技盤が揺動しているような演出を積極的に行うことができる遊技機を提供することである。
【課題を解決するための手段】
【０００８】
前記した目的を達成するために、本発明の遊技機は、所定の遊技領域を有する遊技盤と、前記遊技領域を覆う第一透光性基板とを備えた遊技機であって、可撓性を有し、かつ、前記第一透光性基板に沿って前記遊技領域の少なくとも一部を覆うように配置される第二透光性基板と、弾性を有し、前記第一透光性基板及び前記第二透光性基板の間を封止する封止部材と、前記第二透光性基板を変位させる変位発生手段とが設けられ、前記第一透光性基板と、前記第二透光性基板との間に形成された空間内には、透光性を有する媒体が封入されていることを特徴とする。
【０００９】
ここで、遊技機としては、パチンコ機、パチスロ機、アレンジボール機、スマートボール機及びピンボール機等を例示することができる。また、第一透光性基板としては、変位しづらいガラス板等の基板を例示することができ、第二透光性基板としては、変位しやすいアクリル板等の基板を例示することができる。
本発明によれば、変位発生手段が、第一透光性基板に取り付けられた第二透光性基板を変位させることにより、当該第一透光性基板と第二透光性基板との間に形成される空間の厚さ寸法は、当該第二透光性基板の略中央と、外側とで異なるようになる。そして、この空間内には、透光性を有する媒体が封入されている。このため、第二透光性基板が変位せずに、第一透光性基板に沿って配置されている場合には、遊技領域からの光（例えば、遊技領域で反射した光）が、当該第二透光性基板、媒体及び第一透光性基板を直線的に通過する一方で、第二透光性基板が変位している場合には、遊技領域からの光は、第二透光性基板、媒体及び第一透光性基板を透過する過程で屈折する。従って、このように、変位発生手段により、第二透光性基板を変位させた状態と、変位させていない状態とを切り替えることで、当該第二透光性基板、媒体及び第一透光性基板を介して観察される遊技領域が揺動しているように見せることができる。また、これにより、遊技者に飽きさせづらい演出を積極的に行うことができる。
【００１０】
本発明では、前記変位発生手段は、前記第二透光性基板の法線方向に対して略直交する方向の両端のうち、少なくとも一方を押圧するように設けられていることが好ましい。
このような変位発生手段として、第二透光性基板の端縁を押し込むことで当該第二透光性基板を変位させるアクチュエータ等を例示することができる。
本発明によれば、変位発生手段が、第二透光性基板の法線方向に対して略直交する方向の端縁のうち、少なくとも一方を押圧することにより、当該第二透光性基板の変位を容易に生じさせることができる。また、このように変位された第二透光性基板は、第一透光性基板との空間に封入される媒体と合わせて、シリンドリカルレンズのように入射した光を屈折させるので、当該第二透光性基板の変位量（曲率）を調節することにより、確実に、遊技領域が揺動しているように見せることができる。従って、遊技領域を確実に揺動しているように見せることができる。
【００１１】
本発明では、前記第二透光性基板は、略矩形状に形成され、前記変位発生手段は、前記第二透光性基板の外周を形成する各辺のそれぞれに設けられていることが好ましい。
本発明によれば、変位発生手段が、略矩形状に形成された第二透光性基板の外周を形成する各辺にそれぞれ設けられていることにより、当該変位発生手段によって第二透光性基板が変位する際の湾曲の中心軸方向を、それぞれ変更することができる。すなわち、一方の互いに対向する変位発生手段による第二透光性基板の湾曲の中心軸方向と、他方の互いに対向する変位発生手段による第二透光性基板の湾曲の中心軸方向とは異なり、それぞれが互いに略直交する。これによれば、遊技領域からの光が屈折して進行する方向を変化させることができる。従って、当該遊技機により、一層多彩な演出を行うことができる。
【００１２】
本発明では、前記各辺のうちの少なくともいずれかの辺には、前記変位発生手段が所定の間隔を隔てて複数設けられていることが好ましい。
本発明によれば、第二透光性基板の少なくとも１つの辺には、複数の変位発生手段が所定の間隔を隔てて設けられている。これによれば、当該１つの辺に設けられた複数の変位発生手段のうち、一方の変位発生手段により第二透光性基板を大きく湾曲するように変位させ、他方の変位発生手段により小さく湾曲するように変位させることにより、第二透光性基板の曲率を局所的に異ならせることができる。これによれば、当該第二透光性基板と媒体と第一透光性基板とを、異型のシリンドリカルレンズ様に構成することができ、遊技領域からの光の進行方向を局所的に変化させることができる。従って、より多彩に遊技領域が揺動しているように見せることができる。
【００１３】
本発明では、前記第一透光性基板と前記第二透光性基板との間に形成される空間内に連通し、当該空間内に前記媒体を充填させる貯蔵手段が設けられていることが好ましい。
本発明によれば、貯蔵手段により、第一透光性基板と第二透光性基板との間に形成される空間内に媒体が充填されるので、当該第二透光性基板が変位して当該空間の容積が変更された場合でも、当該空間内に確実に媒体を封入しておくことができる。従って、遊技領域からの光を確実に屈折させることができる。
【００１４】
本発明では、前記第二透光性基板は、前記第一透光性基板と前記遊技盤との間に配置されていることが好ましい。
本発明によれば、第二透光性基板が、第一透光性基板において遊技者側に位置せずに、遊技盤側に位置することとなる。これによれば、第二透光性基板が遊技機の外部に露出することを防ぐことができるので、当該第二透光性基板が破損することを防止することができる。また、変位発生手段の動作に応じて変位する第二透光性基板が、遊技者側に突出することを防ぐことができるので、遊技者に不快感を与えないようにすることができる。
【００１５】
本発明では、前記第二透光性基板と、前記遊技盤との間には、前記第一透光性基板と略平行に配置される第三透光性基板が設けられていることが好ましい。
ここで、遊技機が、パチンコ機、スマートボール機、アレンジボール機及びピンボール機等で構成されている場合には、遊技盤の遊技領域内を遊技球が移動する。このため、遊技領域に対して直接第二透光性基板が対向している場合には、当該遊技球により、第二透光性基板が損傷する可能性がある。これに対し、本発明では、第二透光性基板と遊技盤との間に第三透光性基板が配置されていることにより、第二透光性基板を遊技球から保護することができる。従って、第二透光性基板の損傷を防止することができる。
また、パチンコ機では、筐体の前面を覆う前扉は、ガラス基板等による二重構造となっている場合が多い。このようなパチンコ機を、本発明の遊技機として構成した場合に、当該二重構造となっている２枚のガラス基板を、それぞれ第一透光性基板及び第三透光性基板とし、これら基板間に第二透光性基板を配置することができるので、別途第三透光性基板を設ける必要を無くすことができる。
【発明を実施するための最良の形態】
【００１６】
以下、本発明の一実施形態を図面に基づいて説明する。
〔遊技機１の全体構成〕
図１は、本実施形態の遊技機１の全体構成を示す斜視図である。
本実施形態の遊技機１は、パチンコ機として構成され、ハンドルの操作に応じて射出装置により打ち出された遊技球が、遊技盤の盤面上を落下しつつ移動して、所定の入賞口に入賞した場合には、所定数の遊技球を払い出すものである。
この遊技機１は、図１に示すように、枠体２と、当該枠体２内に収納される遊技機本体３とを備えて構成されている。
このうち、枠体２は、遊技機本体３の側面及び背面を覆う木製又は合成樹脂製の筐体として構成されており、当該枠体２の前面側に形成された開口（図示省略）に遊技機本体３が嵌め込まれる。
【００１７】
〔遊技機本体３の構成〕
遊技機本体３は、枠体２の前面側に取り付けられる遊技盤３１と、当該遊技盤３１の前面を覆う前扉３２と、遊技球を射出する射出装置（図示省略）を操作するためのハンドル３３と、払出装置（図示省略）から払い出された遊技球を貯める上皿３４および下皿３５とを備えて構成されている。また、遊技機本体３には、図示を省略したが、当該遊技機本体３を制御し、後述する始動入賞口３１５に遊技球が入賞した際に抽選処理を実行したり、あるいは、後述する揺動装置５のアクチュエータ５４の動作を制御したりする制御装置が設けられている。
なお、前扉３２の構成については、後に詳述する。
【００１８】
遊技盤３１は、略円形状の側壁３１Ｂによって囲まれた遊技領域３１Ａを有し、当該遊技領域３１Ａには、射出装置によって射出された遊技球を案内するレール３１１が形成され、また、遊技領域３１Ａに対応する遊技盤３１の盤面には、適所に遊技球の軌道を変更する複数の釘３１２が配設されている。さらに、遊技盤３１の略中央、すなわち、遊技領域３１Ａの略中央には、略横長長方形状の開口３１Ｃが形成され、当該開口３１Ｃには、透光性の基板３１３が嵌め込まれている。この基板３１３の背面側には、液晶パネル等で構成された画像表示装置４が配置され、当該画像表示装置４により形成された画像は、当該基板３１３を介して観察される。
【００１９】
また、開口３１Ｃの左右両側には、遊技球が入賞する２つの入賞口３１４が設けられている。また、開口３１Ｃの下方略中央には、遊技球が入賞すると前述の制御装置に抽選処理を実行させる始動入賞口３１５が設けられ、当該始動入賞口３１５の下方には、当該抽選処理により大当りとなった場合に開放される大入賞口３１６が設けられている。さらに、遊技領域３１Ａの下端には、入賞口３１４，３１５，３１６に入賞しなかった遊技球を回収する回収口３１７が形成されている。
【００２０】
〔前扉３２の構成〕
図２は、遊技機１の概略構成を示す縦断面図である。
前扉３２は、前述のように、遊技盤３１に形成された遊技領域３１Ａを覆うものであり、図２に示すように、遊技者側の位置する第一透光性基板としてのガラス基板３２１と、遊技盤３１側に位置する第三透光性基板としてのガラス基板３２２とを備えて構成されている。これらガラス基板３２１，３２２の間には、遊技盤３１の遊技領域３１Ａが揺動しているように見せるための揺動装置５が設けられている。
【００２１】
〔揺動装置５の構成〕
揺動装置５は、ガラス基板３２１の背面側、すなわち、ガラス基板３２２に対向する側に、当該ガラス基板３２１に沿って配置される第二透光性基板としてのアクリル板５１と、当該アクリル板５１をガラス基板３２１に密着させる封止部材としてのパッキン５２と、アクリル板５１の上方向側に位置するタンク５３と、アクリル板５１を変位させる複数のアクチュエータ５４（図３参照）とを備えて構成されている。
【００２２】
アクリル板５１は、遊技領域３１Ａ全体を覆う程度の寸法を有する略矩形状に形成され、可撓性を有する無色透明の基板である。このアクリル板５１は、後述するアクチュエータ５４の動作に応じて湾曲することで、ガラス基板３２１との間に形成される空間Ｓの厚さ寸法を変化させる。また、アクリル板５１は、それぞれ反発性の異なる２枚の基板５１１，５１２を張り合わせた構造を有しており、ガラス基板３２１に近接する側（媒体Ｌ側）の基板５１１が、ガラス基板３２２に近接する側の基板５１２よりも反発性が低い材料により形成されている。すなわち、反発性の高い基板５１２が、媒体Ｌと接触しない外側に位置することとなる。このため、アクリル板５１は、全体で後述するアクチュエータ５４による変位（後述する図４及び図６に示すガラス基板３２２に近接する側への変位であり、シリンドリカルレンズ面への変位）が生じやすくなっている。なお、本実施形態では、アクリル板５１の厚さ寸法は、２ｍｍに設定されている。
パッキン５２は、ゴム等により形成され、アクリル板５１の周縁に沿って配置され、当該アクリル板５１が変位した場合でも、アクリル板５１とガラス基板３２１との間を密封する。
【００２３】
タンク５３は、アクリル板５１及びガラス基板３２１との間に形成された空間Ｓと連通し、当該空間Ｓ内に水や油等の媒体Ｌを充填する貯蔵手段である。この空間Ｓ内の媒体Ｌは、パッキン５２によって外部に漏れることが防がれている。
このタンク５３には、空間Ｓ内に媒体Ｌを加圧して充填する加圧機構５３１が設けられている。この加圧機構５３１は、前述の制御装置から入力する制御信号に応じて、アクチュエータ５４の動作と連動して空間Ｓ内に媒体Ｌを充填する。具体的に、加圧機構５３１は、アクチュエータ５４によるアクリル板５１の変位に伴って生じる空間Ｓの容積変化に応じて、当該空間Ｓ内に媒体Ｌを圧送する。これにより、アクリル板５１の形状変化を生じやすくするとともに、空間Ｓ内に確実に媒体Ｌを充填することができる。
【００２４】
〔アクチュエータ５４の配置〕
図３は、アクチュエータ５４の配置を示す模式図であり、遊技盤３１側から揺動装置５を見た図である。
アクチュエータ５４は、前述の制御装置に接続され、当該制御装置から入力する制御信号に応じて、アクリル板５１を変位させる本発明の変位発生手段である。これらアクチュエータ５４は、図３に示すように、略矩形状に形成されたアクリル板５１の辺ごとに、それぞれ３つずつ合計１２個設けられており、当該アクチュエータ５４は、制御手段によってそれぞれ独立に動作が制御される。
【００２５】
このうち、アクリル板５１の上部端縁に沿って配置されたアクチュエータ５４ＴＬ，５４ＴＣ，５４ＴＲは、アクリル板５１の上端縁の左側近傍、中央及び右側近傍を、それぞれ押圧する。また、アクリル板５１の右側端縁に沿って配置されたアクチュエータ５４ＲＴ，５４ＲＣ，５４ＲＢは、アクリル板５１の右側端縁の上端近傍、中央及び下端近傍を、それぞれ押圧する。さらに、アクリル板５１の下部端縁に沿って配置されたアクチュエータ５４ＢＬ，５４ＢＣ，５４ＢＲは、アクリル板５１の下端部の左側近傍、中央及び右側近傍を、それぞれ押圧する。また、アクリル板５１の左側端縁に沿って配置されたアクチュエータ５４ＬＴ，５４ＬＣ，５４ＬＢは、アクリル板５１の左側端縁の上端近傍、中央及び下端近傍を、それぞれ押圧する。
【００２６】
〔アクリル板５１の変位〕
図４は、アクチュエータ５４が動作した際のアクリル板５１の状態を示す図である。
アクリル板５１は、アクチュエータ５４の動作状態に応じて、湾曲状態が変化する。
具体的に、アクリル板５１の上方及び下方にそれぞれ位置するアクチュエータ５４のうち、遊技盤３１から見て左側に位置するアクチュエータ５４ＴＬ，５４ＢＬが、アクリル板５１を中央に向かって強く押圧し、中央に位置するアクチュエータ５４ＴＣ，５４ＢＣが弱く押圧した場合には、図４の上段左に示すように、左側の曲率が最も大きく、かつ、右側に向かうに従って曲率が小さくなるように湾曲する。
【００２７】
逆に、右側に位置するアクチュエータ５４ＴＲ，５４ＢＲが、アクリル板５１を中央に向かって強く押圧し、中央に位置するアクチュエータ５４ＴＣ，５４ＢＣが弱く押圧した場合には、図４の上段右に示すように、右側の曲率が最も大きく、かつ、左側に向かうに従って曲率が小さくなるように湾曲する。
一方、アクリル板５１の上側に位置するアクチュエータ５４ＴＬ，５４ＴＣ，５４ＴＲと、下側に位置するアクチュエータ５４ＢＬ，５４ＢＣ，５４ＢＲとが、それぞれ同じ押圧力で、中央に向かってアクリル板５１を押圧した場合には、図４の上段中央に示すように、アクリル板５１は水平方向を軸として同じ曲率で樽型に湾曲する。
【００２８】
また、アクリル板５１の右側及び左側にそれぞれ位置するアクチュエータ５４のうち、上段側に位置するアクチュエータ５４ＲＴ，５４ＬＴが、アクリル板５１を中央に向かって強く押圧し、中央に位置するアクチュエータ５４ＲＣ，５４ＬＣが弱く押圧した場合には、図４の下段左に示すように、アクリル板５１は、上側の曲率が最も大きく、かつ、下側に向かうに従って、曲率が小さくなるように湾曲する。
逆に、下側に位置するアクチュエータ５４ＲＢ，５４ＬＢが、アクリル板５１を中央に向かって強く押圧し、中央に位置するアクチュエータ５４ＲＣ，５４ＬＣが、弱く押圧した場合には、図４の下段右に示すように、アクリル板５１は、下側の曲率が最も大きく、かつ、上側に向かうに従って、曲率が小さくなるように湾曲する。
さらに、アクリル板５１の右側に位置するアクチュエータ５４ＲＴ，５４ＲＣ，５４ＲＢと、左側に位置するアクチュエータ５４ＬＴ，５４ＬＣ，５４ＬＢとが、それぞれ同じ押圧力で、アクリル板５１を押圧した場合には、図４の下段中央に示すように、アクリル板５１は、鉛直方向を軸として同じ曲率で樽型に湾曲する。
【００２９】
また、アクリル板５１の上方左側角部近傍に位置するアクチュエータ５４ＴＬ，５４ＬＴと、下方右側角部近傍に位置するアクチュエータ５４ＲＢ，５４ＢＲとが、それぞれ同じ押圧力で、アクリル板５１を押圧した場合には、図４の中央左に示すように、アクリル板５１は、加重が加わっていないアクリル板５１角部同士を結ぶ対角線を中心として略対称に湾曲する。
さらに、アクリル板５１の上方右側角部近傍に位置するアクチュエータ５４ＴＲ，５４ＲＴと、下方左側角部近傍に位置するアクチュエータ５４ＬＢ，５４ＢＬとが、それぞれ同じ押圧力で、アクリル板５１を押圧した場合には、図４の中央右に示すように、アクリル板５１は、加重が加わっていない角部同士を結ぶ対角線を中心として略対称に湾曲する。
このように、アクチュエータ５４の動作に応じて、アクリル板５１は、均一な曲率を有するように、あるいは、局所的に曲率が異なるように変位する。
【００３０】
〔アクリル板５１の変位に伴う光の進行方向〕
図５は、アクリル板５１が変位していない場合の遊技盤３１からの光の進行方向を示す模式図である。また、図６は、アクリル板５１が変位した場合の遊技盤３１からの光の進行方向を示す模式図である。
アクリル板５１が変位していない状態では、図５に示すように、画像表示装置４から射出された光、及び、遊技盤３１の遊技領域３１Ａで反射した反射光は、ガラス基板３２２を介してアクリル板５１、媒体Ｌ及びガラス基板３２１を直線的に透過して、遊技者の目に入射する。このため、このような状態では、遊技盤３１が揺動しているようには観察されない。
【００３１】
一方、アクチュエータ５４によりアクリル板５１が変位した場合では、図６に示すように、当該アクリル板５１、媒体Ｌ及びガラス基板３２１がシリンドリカルレンズ様に作用する。具体的に、画像表示装置４から射出された光、及び、遊技領域３１Ａで反射した光は、ガラス基板３２２を介して、アクリル板５１、媒体Ｌ及びガラス基板３２１を通過する過程で屈折して、遊技者の目に入射する。この際、ガラス基板３２１を透過した光のうち、当該ガラス基板３２１の中央から外側の領域から射出された光は、内側、すなわち、遊技者の中央に向かって進行する。
また、アクリル板５１は、前述のように、アクチュエータ５４の押圧によって、局所的に曲率が異なるように変位し、あるいは、全体で同じ曲率を有するように変位する。このため、アクリル板５１をアクチュエータ５４により変位させて、最大の曲率を有する箇所を順次切り替えることにより、遊技者に、画像表示装置４を含む遊技領域３１Ａが揺動しているように観察させることができる。
【００３２】
以上説明した本実施形態の遊技機１によれば、以下の効果を奏することができる。
すなわち、ガラス基板３２１に沿って配置され、当該ガラス基板３２１にパッキン５２を介して密封されるアクリル板５１に対して、アクチュエータ５４が加重を加えると、当該アクリル板５１は、アクチュエータ５４による押圧方向に直交する方向を中心軸として湾曲する。このアクリル板５１とガラス基板３２１との間の空間Ｓには、媒体Ｌが封入されており、アクリル板５１が変位した場合には、当該アクリル板５１、媒体Ｌ及びガラス基板３２１によりシリンドリカルレンズ様の光学部品が構成される。これらによって、遊技領域３１Ａからの光、すなわち、遊技領域３１Ａを視認する光は屈折し、当該光の進行方向が変更される。これによれば、アクリル板５１の変位状態及び非変位状態を切り替えることにより、遊技領域３１Ａからの光の進行方向を変化させることができる。従って、遊技領域３１Ａが揺動しているように見せることができる。
【００３３】
また、アクチュエータ５４は、アクリル板５１の法線に対して直交する方向の両端に配置されている。すなわち、アクチュエータ５４Ｔ（５４ＴＬ，５４ＴＣ，５４ＴＲ）と、アクチュエータ５４Ｂ（５４ＢＬ，５４ＢＣ，５４ＢＲ）は、それぞれ、アクリル板５１の上側及び下側に配置されている。これによれば、アクリル板５１を、アクチュエータ５４Ｔ，５４Ｂがそれぞれ同じ押圧力で押圧することにより、当該アクリル板５１を凸型シリンドリカルレンズ様に容易に湾曲させることができる。また、アクチュエータ５４Ｔ，５４Ｂの押圧力を調整することにより、アクリル板５１の曲率を調整することができる。従って、当該アクリル板５１、媒体Ｌ及びガラス基板３２１によりシリンドリカルレンズのように、遊技領域３１Ａからの光を屈折することができるので、遊技領域３１Ａを確実に揺動しているように見せることができる。
【００３４】
なお、このような効果は、アクリル板５１の左側及び右側に配置されたアクチュエータ５４Ｌ（５４ＬＴ，５４ＬＣ，５４ＬＢ）と、アクチュエータ５４Ｒ（５４ＲＴ，５４ＲＣ，５４ＲＢ）とによっても同様に奏することができる。
このほか、アクチュエータ５４Ｔ，５４Ｂが動作した場合のアクリル板５１の湾曲の中心軸方向と、アクチュエータ５４Ｌ，５４Ｒが動作した場合のアクリル板５１の湾曲の中心軸方向とは、それぞれ互いに直交する。これによれば、動作させるアクチュエータ５４を変更することにより、アクリル板５１の湾曲の中心軸方向を変えることができ、ひいては、当該アクリル板５１、媒体Ｌ及びガラス基板３２１を通過する光の屈折方向を変更することができる。従って、遊技領域３１Ａが揺動しているように見せることができ、これにより、多彩な演出を行うことができる。
【００３５】
また、前述のように、アクリル板５１の上側、下側、左側及び右側には、それぞれ３つずつアクチュエータ５４が設けられている。これによれば、上側及び下側のアクチュエータ５４Ｔ，５４Ｂのうち、例えば、左側のアクチュエータ５４ＴＬ，５４ＢＬの押圧力を大きくし、右側のアクチュエータ５４ＴＲ，５４ＢＲの押圧力を小さくすることにより、左側の曲率が大きく、右側の曲率が小さい異型の凸型シリンドリカルレンズ様にアクリル板５１を湾曲させることができる。従って、局所的に曲率が異なるようにアクリル板５１を湾曲させることができるので、当該アクリル板５１、媒体Ｌ及びガラス基板３２１を透過した光の進行方向を変化することができ、これらアクチュエータ５４Ｔ，５４Ｒの加重を一方側と他方側とで逆転させることにより、確実に遊技領域３１Ａが揺動しているように見せることができる。これにより、一層多彩な演出を遊技機１が行うことができる。
【００３６】
また、アクリル板５１の上方には、当該アクリル板５１とガラス基板３２１との間に形成された空間Ｓ内に、媒体Ｌを充填するタンク５３が設けられている。これによれば、アクリル板５１が変位して、当該空間Ｓの容積が増減した場合でも、タンク５３から媒体Ｌを供給することにより、確実に当該空間Ｓ内に媒体Ｌを充填することができる。従って、アクリル板５１が変位した際に、確実に遊技領域３１Ａからの光を屈折させることができる。
【００３７】
また、アクリル板５１は、ガラス基板３２１における遊技盤３１に対向する面側に設けられている。これによれば、アクリル板５１及びアクチュエータ５４等が遊技機１の外部に露出することを防ぐことができるので、揺動装置５の破損や故障等を防止することができる。また、アクリル板５１がガラス基板３２１の遊技者側の面に設けられている場合には、当該アクリル板５１が変位すると、アクリル板５１は遊技者側に突出することとなる。これに対し、アクリル板５１がガラス基板３２１の遊技盤３１に対向する側に設けられていることにより、アクリル板５１が遊技者側に突出することを防ぐことができ、これにより、遊技者に不快感を与えないようにすることができる。
【００３８】
また、アクリル板５１と、遊技盤３１との間には、ガラス基板３２２が設けられている。すなわち、アクリル板５１は、前扉３２を構成する一対のガラス基板３２１，３２２の間に挟まれるように配置されている。これによれば、遊技領域３１Ａを移動しつつ落下する遊技球が、アクリル板５１及びアクチュエータ５４等に直接当たることを防ぐことができる。従って、これらアクリル板５１及びアクチュエータ５４等の破損を防止することができるほか、遊技球の移動を妨げないようにすることができる。
【００３９】
〔実施形態の変形〕
本発明は前述の実施形態に限定されるものではなく、本発明の目的を達成できる範囲での変形、改良等は本発明に含まれるものである。
前記実施形態では、変位発生手段は、アクチュエータ５４で構成したが、本発明はこれに限らない。例えば、変位発生手段は、アクリル板５１の端縁に当接する当接片と、当該当接片をアクリル板５１の中央に向かって進退させるモータ等の駆動手段により構成してもよい。
また、前記実施形態では、第二透光性基板をアクリル板５１で構成したが、本発明はこれに限らない。すなわち、可撓性を有し、かつ、透光性を有する部材であれば、材料はアクリルに限定されない。さらに、封止部材としてのパッキン５２をゴム等により構成したが、他の材料により構成してもよい。
【００４０】
前記実施形態では、アクチュエータ５４は、矩形状に形成されたアクリル板５１の外周を形成する辺ごとに、３つずつ計１２個配置したが、本発明はこれに限らない。例えば、それぞれの辺に１つずつ設けられていてもよく、また、当該辺の中央を中心として略対称に２つずつ設けられていてもよい。さらに、アクチュエータ５４は、互いに対向する一対の辺のうち、いずれか一方の辺にのみ設けられていてもよい。すなわち、アクリル板５１を変位可能であれば、アクチュエータ５４の位置及び数は、前記実施形態の配置位置及び数に限定されない。
【００４１】
前記実施形態では、アクリル板５１は、矩形状に形成したが、本発明はこれに限らない。例えば、円形状でも他の多角形状でもよい。また、前記実施形態では、アクリル板５１は、遊技盤３１の遊技領域３１Ａを覆う程度の大きさに形成したが、本発明はこれに限らず、遊技領域３１Ａの少なくとも一部、例えば、画像表示装置４の画像形成領域に対応する位置のみに対応する大きさ及び位置に配置されていてもよい。
【００４２】
前記実施形態では、揺動装置５は、アクリル板５１とガラス基板３２１との間に形成された空間Ｓ内に、媒体Ｌを充填する貯蔵手段としてのタンク５３を備えるとしたが、本発明はこれに限らず、タンク５３は無くてもよい。このような場合、空間Ｓの上方側が開口し、遊技領域３１Ａにおいて、揺動しているように見せる所定の領域に対応した空間Ｓの領域が媒体Ｌで満たされていればよい。
【００４３】
前記実施形態では、タンク５３には、アクチュエータ５４と連動して、空間Ｓ内に媒体Ｌを充填する加圧機構５３１が設けられているとしたが、本発明はこれに限らない。すなわち、空間Ｓ内に媒体Ｌを充填可能であれば、加圧機構５３１は無くてもよい。なお、加圧機構５３１が設けられている場合には、アクリル板５１の変位を生じやすくすることができるほか、タンク５３の位置が空間Ｓの上方でなくても、加圧機構５３１が媒体Ｌを空間Ｓ内に圧送することで、当該空間Ｓ内に媒体Ｌを確実に充填することができる。
【００４４】
前記実施形態では、アクリル板５１及びアクチュエータ５４等により構成される揺動装置５は、一対のガラス基板３２１，３２２の間に配置されるとしたが、本発明はこれに限らない。例えば、遊技者側に位置するガラス基板３２１の遊技者側の面に設けられていてもよく、さらに、遊技盤３１側のガラス基板３２２に設けられていてもよい。特に、ガラス基板３２２のガラス基板３２１側の面に設けられている場合には、遊技領域３１Ａ上を移動する遊技球が揺動装置５に直接当たることを防ぐことができるので、当該揺動装置５の損傷等を防ぐことができる。
【００４５】
前記実施形態では、ガラス基板３２１にパッキン５２により取り付けられたアクリル板５１は、アクチュエータ５４により、当該アクリル板５１の光束入射面の面外方向、すなわち、遊技盤３１に近接する方向に突出するとしたが、本発明はこれに限らない。すなわち、アクリル板５１は、ガラス基板３２１に近接する側に突出するように構成してもよい。このような場合、アクリル板５１、媒体Ｌ及びガラス基板３２１により、凹型シリンドリカルレンズ様の作用及び効果を奏することができる。
【００４６】
前記実施形態では、アクリル板５１は、反発性の異なる２枚の基板５１１，５１２を貼り合わせた構造を有するとしたが、本発明はこれに限らない。すなわち、アクリル板５１は、一層構造でもよく、あるいは、３層以上の構造でもよい。なお、アクリル板５１が３層以上の構造である場合には、外側すなわち媒体Ｌに接触しない側の基板を反発性の高い材料により形成することにより、アクリル板５１の外側（ガラス基板３２２側）への変位（シリンドリカルレンズ面への変位）を生じさせやすくすることができる。
【００４７】
前記実施形態では、遊技機１は、パチンコ機として構成したが、本発明はこれに限らない。例えば、パチスロ機、スマートボール機及びアレンジボール機のほか、ピンボール機等に本発明を採用することも可能である。
【産業上の利用可能性】
【００４８】
本発明は、パチンコ機、パチスロ機、スマートボール機、アレンジボール機及びピンボール機等の遊技機に利用できる。
【図面の簡単な説明】
【００４９】
【図１】本発明の一実施形態に係る遊技機の全体構成を示す斜視図。
【図２】前記実施形態における遊技機の概略構成を示す縦断面図。
【図３】前記実施形態におけるアクチュエータの配置を示す模式図。
【図４】前記実施形態におけるアクチュエータが動作した際のアクリル板の状態を示す図。
【図５】前記実施形態におけるアクリル板が変位していない場合の光の進行方向を示す模式図。
【図６】前記実施形態におけるアクリル板が変位した場合の光の進行方向を示す模式図。
【符号の説明】
【００５０】
１…遊技機、３１…遊技盤、３１Ａ…遊技領域、５１…アクリル板（第二透光性基板）、５２…パッキン（封止部材）、５３…タンク（貯蔵手段）、５４（５４ＢＬ，５４ＢＣ，５４ＢＲ，５４ＬＴ，５４ＬＣ，５４ＬＢ，５４ＲＴ，５４ＲＣ，５４ＲＢ，５４ＴＬ，５４ＴＣ，５４ＴＲ）…アクチュエータ（変位発生手段）、３２１…ガラス基板（第一透光性基板）、３２２…ガラス基板（第三透光性基板）、Ｌ…媒体、Ｓ…空間。
【図１】
2008161215.tif 000003
【図２】
2008161215.tif 000004
【図３】
2008161215.tif 000005
【図４】
2008161215.tif 000006
【図５】
2008161215.tif 000007
【図６】
2008161215.tif 000008